(57)【要約】【課題】 従来の膝関節押圧具の中で、モーター等の動力を使用するものでは、速度や強さは調整できる場合であっても、迅速に変更できない、高齢者の場合操作を間違うことがある等によってどうしても使用者が安心して使用できるものではなかった。また、電力が必要であるため、どこにでも持っていけるものではなく、電気を使用すること自体がすでに種々の危険性を有するものである。自力で押圧するものでは、十分に膝関節を伸ばすことができなかった。【解決手段】  使用者の膝関節を押圧する押圧装置、押圧する際の支点となる支柱、該押圧装置と支柱を支持する支持台からなるものであって、該押圧装置は使用者の膝に接当する接当部、使用者が手で操作するレバー、レバーからの力を接当部に伝える鉛直部、且つレバーを元の位置にに復帰させるようレバーを押圧している弾性部材から構成されるもの。【選択図】  図１
2006175145.tif 000002
【特許請求の範囲】
【請求項１】
使用者の膝関節を押圧する押圧装置、押圧する際の支点となる支柱、該押圧装置と支柱を支持する支持台からなるものであって、該押圧装置は使用者の膝に接当する接当部、使用者が手で操作するレバー、レバーからの力を接当部に伝える鉛直部、且つレバーを元の位置にに復帰させるようレバーを押圧している弾性部材から構成されることを特徴とする膝関節押圧具。
【請求項２】
該支持台下方に使用者の膝を乗せる載置板を設けたものである請求項１記載の膝関節押圧具。
【請求項３】
使用者が椅子等に座って使用できるように、該載置板の下方にサポートを設けたものである請求項２記載の膝関節押圧具。
【請求項４】
該載置板又はサポートにキャスターを設けたものである請求項２又は３記載の膝関節押圧具。
【請求項５】
該載置板又は該サポートに足裏ローラーを設けたものである請求項３又は４記載の膝関節押圧具。
【発明の詳細な説明】
【技術分野】
【０００１】
本発明は、膝関節押圧具に関するものである。
【背景技術】
【０００２】
膝関節押圧具は、変形性股関節症や変形性膝関節症等の手術後のリハビリ用に用いられている。また、自力歩行が難しい人やどうしても不足しがちで、膝関節を積極的に動かすことが望ましい人、更には、太腿や脹脛の筋肉のストレッチをしたいが自力では難しい人等にも使用されている。
【０００３】
このような器具は、通常は特許文献１のようにモーター等の動力によって駆動されている。そして、そのモーターの力によって膝関節を屈伸し受動運動させるものである。
【０００４】
また、動力を使用せず、使用者が自力で行なう特許文献２のようなものも考えられている。
【特許文献１】特開２００２−２６３１４９
【特許文献２】特開２００３−０５２８５１
【０００５】
しかし、モーター等の動力を使用するものでは、速度や強さは調整できる場合であっても、迅速に変更できない、高齢者の場合操作を間違うことがある等によってどうしても使用者が安心して使用できるものではなかった。また、電力が必要であるため、どこにでも持っていけるものではなかった。更に、電気を使用すること自体がすでに種々の危険性を有するものである。
【０００６】
また、特許文献２のような自力のものでは、十分に膝関節を伸ばすことができなかった。
【発明の開示】
【発明が解決しようとする課題】
【０００７】
そこで、使用者の気分によって押圧力を自在に調整でき、電気等の動力を使用しない安価で安全な膝関節押圧具を提供する。
【課題を解決するための手段】
【０００８】
以上のような状況に鑑み、本発明者は鋭意研究の結果本発明膝関節押圧具を完成させたものであり、その特徴とするところは、使用者の膝関節を押圧する押圧装置、押圧する際の支点となる支柱、該押圧装置と支柱を支持する支持台からなるものであって、該押圧装置は使用者の膝に接当する接当部、使用者が手で操作するレバー、レバーからの力を接当部に伝える鉛直部、且つレバーを元の位置にに復帰させるようレバーを押圧している弾性部材から構成される点にある。
【０００９】
押圧装置とは、膝を上方から押圧して膝関節を十分に開かせるもので、本発明の根本部分である。これは、膝に接当する接当部、使用者が手で操作するレバー、レバーからの力を接当部に伝える鉛直部、且つレバーを元の位置にに復帰させるようレバーを押圧している弾性部材から構成されている。
【００１０】
接当部とは、膝に接当する部分であり、単なる板でも、膝を包むような形状、即ち中央部が少しへこんだような形状でも、その他どのような形状でもよい。膝が痛くないようにソフト部材を表面に付けてもよい。また、特別なものがなく、後述する鉛直部と一体でも、その一部でもよい。
勿論、使用に際しては、膝だけでなく、他の部位を押圧してもよい。
【００１１】
レバーとは、使用者が手で操作する操作具であり、直接力を掛ける部分である。このレバーを操作することによって、これと接続された鉛直部が下降し、接当部が膝を押圧するのである。このレバーはテコの作用により、小さい力で大きな押圧力を得ることも、その逆も可能である。即ち、膝にあまり大きな力がかからないようにするのである。これは、支点と作用点の位置を工夫することによって可能となる。レバーには、抜け止めや滑り止めを設けてもよい。
【００１２】
鉛直部は、レバーからの力を接当部に伝えるもので、通常は単なる棒体である。しかしこの鉛直部自体又はその一部が弾性部材で構成されていてもよい。
【００１３】
弾性部材とは、バネやゴムのようなもので元の形状に復帰するものである。この弾性部材は、手で押圧したレバー、鉛直部、接当部を元の位置、即ち膝を押圧しない位置に戻すためのものである。取付ける位置は特に限定しないが、鉛直部の周囲や近傍が好適である。
【００１４】
支柱とは、押圧する際の支点となるもので、レバーを支える部分である。構造は自由であるが、支柱の頂部や側部にレバーを通すような輪やフック状のものを設ける、支柱自体に孔を設ける等が便利である。
【００１５】
支持台とは、上記の部材を支持する台であり、通常は平面板と脚から構成されている。勿論、コの字状のものでも足さえ入れば箱状のものでもよい。平面板の高さは足を入れて上方から接当部が降りてくる程度であり、限定はしないが１５ｃｍ〜５０ｃｍ程度でよい。限定はしないが、脚は４方に設けるよりは、上記接当部に足を横から入れることができるように、２隅だけに設けるか、２本以上でも片方に寄せた方がよい。即ち、片持ちタイプである。
支持台その他の本発明全体の構造部材の材質は特に限定はしないが、安全性、重量、その他の点から木製が望ましい。勿論、金属やプラスチックでも可能である。
【００１６】
この支持台の下方に使用者の膝を乗せる載置板を設けてもよい。これは支持台の補強にもなり、且つ膝を乗せることによって膝の開閉をスムーズにするという効果もある。単なる板でも何でもよい。
【００１７】
上記した載置板には、サポートを設けてもよい。使用者が畳等の床に座している場合にはこのサポートは不要であり、そのまま使用するか座椅子等に座って行なえばよい。
しかし、使用者が椅子やベッドに腰かけている場合では、当然膝は高い位置にある。このような場合には、載置板を高くする必要がある。このような場合にこのサポートを設ければ便利である。これは形状や数は自由であり、載置板を高くできればよい。単なる４本の足でも、箱のようなものでも自由である。また、底部を設けてもよい。
このサポートは、ネジ等で載置板に着脱自在に取付けるようにしても、単にダボで連結してもよい。
【００１８】
また、載置板や上記したサポートには、キャスターを設けてもよい。これは本発明膝関節押圧具の移動を容易にするためのもので単なる車輪でも、全方向自在車輪でもよい。これも、着脱自在に取付けてもよい。
【００１９】
足裏ローラーとは、このローラーに足の裏を載せて前後することによって足裏マッサージ効果が得られるものである。これは、本発明のような膝関節の治療やリハビリ、運動が必要な人は、同時に行なうと種々の効果があるものである。
これは、サポートの底部に設けておくのがよい。このローラーは回転自在であり、回転は使用者の足で行なうものである。ローラーの表面は平滑でも、凹凸があっても、つぼの位置に突起を設けたものでもよい。
【発明の効果】
【００２０】
本発明膝関節押圧具には次のような大きな利点がある。
（１）  膝関節が開閉し、付近の筋肉が屈伸するため。十分な運動効果がみられる。その付近の血行が促進される。
（２）  使用者が自分の膝の感じを確認しながら手で押圧するため、使用者が押圧力を自在に調整できる。
（３）  停止したいときも単に手を離すだけでよく非常に安全である。
（４）  電気その他が不要なため、どこにでも搬送できる。
（５）  安価で簡単な装置であるため、故障がほとんどなく、メンテナンスも基本的に不要である。
（６）  家庭でテレビ等を見ながらできるため、リハビリ等が進む。
【発明を実施するための最良の形態】
【００２１】
以下実施例に沿ってより詳細に説明する。
【実施例】
【００２２】
図１は、本発明膝関節押圧具１の１例を示す。支持台２は、平板３と脚４から構成されている。この平板３に押圧装置と支柱５が載置されている。支柱５にはフック６が固定されている。このフック６にレバー７が通される。
【００２３】
更に、この平板３に鉛直部８が通過する支持体９が固定されている。鉛直部８の上部には受け部１０が設けられ、レバー７の押圧部分となっている。即ち、フック６は支点であり、移動はしない。受け部１０が下降するのである。よって、使用者は、この図ではレバー７の左端付近を持って下方に下げるのである。
鉛直部８にはバネ１１が固定されている。
【００２４】
図２は、押圧装置の一部を示す部分断面図である。鉛直部８の上部においてバネ１１が固定されている。このバネ１１は、下端は平板３に固定されている。また、鉛直部８の上端部はＵ字状に成型加工され、その内側にレバー７がはまるようになっている。Ｕ字状の内側部は湾曲加工されレバーの上下がスムーズになるようにしている。鉛直部８の下端部は、接当部１２になっている。この図では、Ｕ字部の内側にレバー７が入っている。下方に押されると、バネ１１が縮み、鉛直部８が下降し、接当部１２が下がり膝を下方に押圧する。レバー７を離すか力を緩めると、バネ１１の復帰力で鉛直部８が上昇し、その結果接当部１２が膝から離れる。
【００２５】
図３は、図１の例に、載置板１３とサポート１４を設けたものである。更に、サポート１４には底部１５を設けている。この例では、使用者は椅子のようなものに腰かけて使用する。
更に、底部１５には、足裏ローラー１６を設けている。これは、左右に回転軸を支持する支持部１７があり、該回転軸にローラーが可回転に設けられているものである。
【００２６】
図４は、本発明の使用状態を示す側面図である。ここで用いている膝関節押圧具は、載置板１３とサポート１４を設けているが、底部は設けていないものである。また、サポート１４の下部にはキャスター１８を設けている。椅子１９に腰掛けて、足を載置板１３に乗せ、今レバー７を下方に下げるところである。
【図面の簡単な説明】
【００２７】
【図１】本発明膝関節押圧具の１例を示す斜視図である。
【図２】本発明の押圧装置の一部を示す部分断面図である。
【図３】本発明膝関節押圧具の他の例を示す斜視図である。
【図４】本発明膝関節押圧具の１例の使用状態を示す斜視図である。
【符号の説明】
【００２８】
１  本発明膝関節押圧具
２  支持台
３  平板
４  脚
５  支柱
６  フック
７  レバー
８  鉛直部
９  支持体
１０  受け部
１１  バネ
１２  接当部
１３  載置板
１４  サポート
１５  底部
１６  足裏ローラー
１７  支持部
１８  キャスター
１９  椅子
【図１】
2006175145.tif 000003
【図２】
2006175145.tif 000004
【図３】
2006175145.tif 000005
【図４】
2006175145.tif 000006